(57)【要約】【課題】  原色及び補色以外の中間色の効率的な補正を独立して行えるようにしたカラー映像信号の色補正回路を提供する。【解決手段】  入力Ｒ，Ｇ，Ｂ信号から色差信号を形成する色差演算部１と、色差信号から３原色成分と補色成分の６種の色補正用信号を形成する６色分離回路２と、前記３原色補正用信号及び補色補正用信号より、それぞれ任意の１色ずつの補正用信号を選択する選択Ａ部61と、選択された３原色補正用信号と補色補正用信号とを同程度混色した肌色等のの中間色補正用信号を形成する選択Ｂ部65とを備え、前記中間色補正用信号に所定の係数を乗じ入力信号に加算して中間色を補正するように、カラー映像信号の色補正回路を構成する。【選択図】        図  ６ 【特許請求の範囲】
【請求項１】
赤色，緑色，青色の３原色の映像信号成分で与えられるディジタル映像信号の色補正において、前記３原色信号より３原色成分及び補色成分の６種の色補正用成分を抽出し、それぞれの色補正用成分に所定の係数を乗じて、前記３原色の映像信号に加算することにより、前記６種の色補正用成分毎に色相と彩度を調整するようにしたカラー映像信号の色補正回路において、前記３原色補正用成分及び補色補正用成分より、それぞれ任意に１色ずつの補正用成分を選択する選択手段と、該選択手段で選択された３原色補正用成分と補色補正用成分とを同程度混色した中間色補正用成分を形成する手段とを備え、前記中間色補正用成分に所定の係数を乗じて３原色映像信号に加算して中間色を補正するように構成したことを特徴とするカラー映像信号の色補正回路。
【請求項２】
前記選択手段において３原色補正用成分及び補色補正用成分より、それぞれ１色ずつの補正用成分を選択するための、選択情報を保持している情報保持手段を備えていることを特徴とする請求項１に係るカラー映像信号の色補正回路。
【請求項３】
前記中間色補正用成分形成手段は、前記選択手段で選択された原色補正用成分と補色補正用成分の論理積により中間色補正用成分を形成するように構成されていることを特徴とする請求項１に係るカラー映像信号の色補正回路。
【請求項４】
前記選択手段で選択された原色補正用成分と補色補正用成分の差の絶対値を算出する絶対値回路と、絶対値回路の出力と中間色判定情報保持手段に予め保持されている判定情報とを比較して中間色か否かを判定する手段とを備えていることを特徴とする請求項１〜３のいずれか１項に係るカラー映像信号の色補正回路。
【請求項５】
前記中間色判定手段により中間色と判定されたとき、前記中間色補正用成分形成手段からの出力信号をアクティブにすると共に、前記６種の色補正用成分を０とする手段を備え、中間色補正用成分にのみ所定の係数を乗算するように構成されていることを特徴とする請求項１〜４のいずれか１項に係るカラー映像信号の色補正回路。
【発明の詳細な説明】
【技術分野】
【０００１】
この発明は、ディジタル信号処理方式のカラー映像信号の色補正回路に関する。
【背景技術】
【０００２】
従来、ディジタル信号処理方式のカラー映像信号の色補正回路（マスキング回路）としては、図９に示すようなリニアマトリクス方式と呼ばれる色補正回路が知られている。このリニアマトリクス方式の色補正回路では、減算回路101 〜103 で入力Ｒ（赤色），Ｇ（緑色），Ｂ（青色）信号から色差信号Ｒ−Ｇ，Ｇ−Ｂ，Ｂ−Ｒを作り、これらの色差信号に係数乗算回路104 〜109 により所望の係数Ｋ1 〜Ｋ6 を乗じて、加算回路110 〜115 で入力Ｒ，Ｇ，Ｂ信号に加算することにより、色調整を行うようになっている。
【０００３】
しかしながら、従来のリニアマトリクス方式の色補正回路では、例えば図９におけるＲ−Ｇ信号に乗算すべき係数Ｋ1 を変化させると、Ｒ，Ｇ，Ｃy （シアン），Ｙe （イエロー），Ｍa （マゼンタ）の色調が変化してしまうので、３原色及び３補色をそれぞれ単独に補正するのは不可能であり、かなり調整工数がかかるという問題点がある。
【０００４】
上記方式の色補正回路の問題点を改善した色補正回路として、特開平３−２６６５８６号には、図10に示すような構成の色補正回路が開示されている。図10において、ＲIN，ＧIN，ＢINは色補正すべきカラー映像信号を構成する３種のディジタル信号Ｒ，Ｇ，Ｂが供給される入力端子で、ＲOUT ，ＧOUT ，ＢOUT は補正されたＲ，Ｇ，Ｂ信号が取り出される出力端子である。201 は入力されたＲ，Ｇ，Ｂ信号から色補正用原色信号Ｒ′，Ｇ′，Ｂ′と、色補正用補色信号Ｃy ′，Ｍa ′，Ｙe ′の６種の信号を生成する６色分離回路であり、202 ，203 ，204 は色差信号Ｒ−Ｇ，Ｇ−Ｂ，Ｂ−Ｒを形成するための減算回路である。205 は、入力映像信号として、原色の１色と補色の１色の２種を指定する色判定回路で、該色判定回路205 の判定結果により８個のセレクタ206 〜213 を制御するようになっている。
【０００５】
セレクタ206 は、色判定回路205 の判定結果に基づき、６色分離回路201 から出力される色補正用原色信号Ｒ′，Ｇ′，Ｂ′の中から１色を選択し、乗算回路214 ，215 に供給するようになっており、セレクタ207 は、同じく６色分離回路201 から出力される色補正用補色信号Ｃy ′，Ｍa ′，Ｙe ′の中から１色を選択し、それを乗算回路216 ，217 に供給するようになっている。またセレクタ208 ，209 は、同じく色判定回路205 の判定結果に基づき、それぞれ原色の彩度調整用係数Ｋ1 〜Ｋ3 が格納されているレジスタ218 〜220 の１つと、それぞれ原色の色相調整用係数Ｋ4 〜Ｋ6 が格納されているレジスタ221 〜223 の１つを、それぞれ選択し乗算回路214 ，215 に供給するようになっている。またセレクタ210 と211 は、色判定回路205 の判定結果から、補色信号に対応した彩度調整用係数Ｋ7 〜Ｋ9 が格納されているレジスタ224 〜226 の中の１つと、同じく補色信号に対応した色相調整用係数Ｋ10〜Ｋ12が格納されているレジスタ227 〜229 の中の１つとを、それぞれ選択し乗算回路216 ，217 に供給するようになっている。
【０００６】
セレクタ212 は、３入力、３出力切換用のセレクタで、乗算回路214 の出力が判定された原色と同じ色の映像信号に、また乗算回路215 の出力とこれを反転回路230 で極性反転した出力が残りの２つの色の映像信号に、それぞれ加算回路233 〜235 を介して加算されるように切換制御される。また乗算回路216 ，217 の出力は、加算回路231 で加算され、セレクタ213 により加算回路236 に供給されて、入力映像信号のＲ信号に加算され、乗算回路216 の出力から乗算回路217 の出力を減算回路232 で減算した結果を、セレクタ213 により加算回路237 に供給し、入力Ｇ信号に加算されるようになっている。
【０００７】
上記公報に開示された色補正回路の特徴は、入力されたＲIN，ＧIN，ＢIN信号から生成された補正用３原色信号Ｒ′，Ｇ′，Ｂ′と、３補色信号Ｃy ′，Ｍa ′，Ｙe ′の中から、支配的な原色１色と補色１色を選択し、これらの２色についてのみ、所定の定数を掛けて補正を行うものであり、そして補正された値は、再び入力信号ＲIN，ＧIN，ＢINに加算されて出力されるものである。
【０００８】
まず６色分離回路201 で得られた６色の補正用信号から、原色及び補色の各１色ずつを選択する過程を、図11を参照しながら説明する。図11は、カラーバー信号に対するＲ，Ｇ，Ｂの各色（３色）信号の極性と、これら３色の色差信号Ｒ−Ｇ，Ｇ−Ｂ，Ｂ−Ｒの極性を示したものである。色差信号の極性に着目すると、例えばＲ′信号では、Ｒ−Ｇの極性が“＋”、Ｂ−Ｒの極性が“−”であり、このような組み合わせは他の信号にはない。このように、色差信号の極性を見ることによって、支配的な色が判別できる。また図11の場合、色飽和度を100 ％として考えており、そうでない場合には図中の０極性の値は、“＋”もしくは“−”になる。例えば、Ｒ′信号を判断した場合、Ｇ−Ｂの色差の極性は“＋”ならば、Ｙe ′信号も混じっていることになり、“−”ならばＭa ′信号が混じっていることになる。すなわち、色差信号を利用した色判別は原色１色と補色１色のペアとして判別される。図10における色判定回路205 は、以上のような判定を行っている。
【０００９】
次に、６色分離回路201 における６色の色分離の過程を図12に基づいて説明する。Ｒ′信号を分離する場合は、図12に示されているように、色差信号Ｒ−ＧとＲ−Ｂの最小値を取ればよい。このようにすることにより、図11に示すように、Ｒ′信号部分のみ、もしくはＲ′信号と補色Ｙe ′（Ｍa ′）信号の値が０以上として出力される。
【００１０】
次に、以上のようにして分離された色補正信号についての補正プロセスについて説明する。図10における各係数Ｋ1 〜Ｋ12を格納しているレジスタ218 〜229 の内容を表１に示す。
【００１１】
【表１】
2004297818.tif 000002
【００１２】
ここで一例として、Ｒ′信号の補正について説明する。６色分離回路201 からＲ′信号が出力される時、色判定回路205 の出力からセレクタ208 ，209 によりレジスタ218 ，221 の係数Ｋ1 ，Ｋ4 が選択される。Ｋ1 はＲ′信号に乗じた値を彩度方向（Ｒ）に補正するための係数であり、Ｋ4 はＲ′信号に乗じた値を色相方向（Ｇ，Ｂ）に補正するための係数である。このように補正された値を入力信号Ｒ，Ｇ，Ｂのいずれに加算するかは、色判定回路205 の出力で制御されるセレクタ212 によって設定される。
【００１３】
補正の態様を図13の（Ａ）のカラーベクトル図を用いて説明する。ベクトルＲ（入力されたＲ，Ｇ，Ｂ）が理想的な位置から、Ｙe 方向にずれていた場合、すなわち、Ｒ，Ｇ，Ｂ信号の入力されたベクトル和が (1)で示される場合、Ｋ4 ×Ｒ′の値を (2)で示すようにＢ方向と、 (3)で示すように−Ｇ方向に加算することによって、Ｒ位置を (4)で示すように理想位置まで回転させることができる。なお、 (4)は (2)及び (3)によって色補正されたベクトルを示している。また、Ｋ1 ×Ｒ′の値をＲ方向に加算することにより、彩度の調整が可能となる。なお、表１においては補正方法の記載で、「加算」のみの表現を用いているが、補正用レジスタに±の極性をもたせることによって、加算及び減算の両方が実施可能である。
【特許文献１】特開平３−２６６５８６号公報
【発明の開示】
【発明が解決しようとする課題】
【００１４】
一般的に、Ｒ，Ｇ，Ｂの３原色信号成分より構成されるカラー映像信号を、ディジタル的に色補正する場合、これらの３原色以外に補色であるＣy ，Ｙe ，Ｍa の計６色の補正信号成分を抽出し、これら６色それぞれに対して予め設定された係数を乗じる。そして、その乗算された値を再び３原色信号成分に加算することにより、前記６種に対する色の調整を行うようになっている。しかしながら、上記のように、従来のリニアマトリクス方式の色補正回路では、６色の補正信号Ｒ′，Ｇ′，Ｂ′，Ｙe ′，Ｍa ′，Ｃy ′をそれぞれ独立して補正できないため、調整に時間がかかるという問題点がある。
【００１５】
また、このリニアマトリクス方式に改善を加えた特開平３−２６６５８６号公報開示の色補正回路では、原色１色と補色１色のみを選択し、その選択された２色についてのみ補正するようにして、調整工数を低減するようにしている。しかしながら、理想的なベクトル位置と異なったＲ，Ｇ，Ｂ信号が入力された場合、上記のような色分離を施すと、原色１色と補色１色の混色となる。したがって、上記公報開示の色補正回路も、完全な独立補正が可能とは言えず、調整工数に時間がかかるという問題点がある。
【００１６】
次に、この問題点を図13の（Ｂ）に基づいて説明する。理想的なベクトル位置と異なった例として、Ｒ，Ｇ，Ｂの入力の比が次のようになっているものとする。
Ｒ：Ｇ：Ｂ＝0.7 ：0.2 ：0.1 
この場合の色差は次のようになる。
Ｒ−Ｇ＝0.5 ，Ｇ−Ｂ＝0.1 ，Ｂ−Ｒ＝−0.6 
また、Ｒ′，Ｇ′，Ｂ′，Ｙe ′，Ｍa ′，Ｃy ′は次のようになる。
Ｒ′：0.5 ，Ｇ′：０，Ｂ′：０，Ｙe ′：0.1 ，Ｃy ′：０，Ｍa ′：０
【００１７】
以上の場合、色分離から出力される値は、Ｒ′及びＹe ′の２色である。Ｒ方向に補正しようとした場合、前述のように、Ｋ4 ×Ｒ′の値をＢ方向に、−Ｋ4 ×Ｒ′をＧ方向に加算する以外に、Ｙe ′により補正される分を考えなければならない。すなわち、Ｒ，Ｇ，Ｂの入力されたＲの成分が (1)、Ｇの成分が (2)、Ｂの成分が (3)で、それらのベクトルの和が (4)であり、色分離がＲ′とＹe ′の混色の場合、Ｒ方向への色相補正は、 (5)で示すようにＢ方向に、Ｋ4 ×Ｒ′（0.5 ）±Ｋ7 ×Ｙe ′（0.1 ）の値を加算し、 (6)で示すようにＧ方向に、−Ｋ4 ×Ｒ′（0.5 ）±Ｋ7 ×Ｙe ′（0.1 ）の値の加算を行って、Ｒ位置を (7)で示すように、色相補正し、更に、Ｒ方向への彩度補正は、Ｋ1 ×Ｒ′（0.5 ）±Ｋ10×Ｙe ′（0.1 ）の値を加算して行う
【００１８】
このように、オペレータはＲ′成分以外にＹe ′成分のレジスタ値も決めなければならず、煩雑な調整を要する。以上のようにしてＲ方向への調整係数Ｋ1 ，Ｋ4 ，Ｋ7 ，Ｋ10が決定しても、その後、Ｙe 方向の調整を行いたい場合、係数Ｋ7 ，Ｋ10を再度変更しなければならないと言う問題が生じてしまう。すなわち、各レジスタの係数が一義的に決定できないという問題点がある。
【００１９】
更に、従来例においては、肌色等、原色と補色の中間に位置するきめ細かな色調整ができないという問題がある。従来例において、例えば、肌色のようにＲとＹe の間に位置する色を補正したい場合、色分離手段より出力されたＲ′とＹe ′それぞれのレジスタを調整しなければならない。すなわち、従来の色補正回路では、中間色の補正も独立して調整できないという問題点がある。
【００２０】
本発明は、従来の色補正回路の上記問題点を解消するためになされたもので、請求項１に係る発明は、原色及び補色以外の中間色の効率的な補正を行えるようにしたカラー映像信号の色補正回路を提供することを目的とする。請求項２に係る発明は、請求項１に係るカラー映像信号の色補正回路において、３色存在する中間色の選択状態を記憶できるようにすることを目的とする。請求項３に係る発明は、中間色補正用成分を容易に形成できるカラー映像信号の色補正回路を提供することを目的とする。請求項４に係る発明は、請求項１〜３のいずれか１項に係るカラー映像信号の色補正回路において、中間色か否かを容易に判定できるようにすることを目的とする。請求項５に係る発明は、選択された中間色以外の補正用成分からの影響を受けずに、単独に中間色の調整ができるようにしたカラー映像信号の色補正回路を提供することを目的とする。
【課題を解決するための手段】
【００２１】
上記問題点を解決するため、請求項１に係る発明は、赤色，緑色，青色の３原色の映像信号成分で与えられるディジタル映像信号の色補正において、前記３原色信号より３原色成分及び補色成分の６種の色補正用成分を抽出し、それぞれの色補正用成分に所定の係数を乗じて、前記３原色の映像信号に加算することにより、前記６種の色補正用成分毎に色相と彩度を調整するようにしたカラー映像信号の色補正回路において、前記３原色補正用成分及び補色補正用成分より、それぞれ任意に１色ずつの補正用成分を選択する選択手段と、該選択手段で選択された３原色補正用成分と補色補正用成分とを同程度混色した（肌色等の任意の）中間色補正用成分を形成する手段とを備え、前記中間色補正用成分に所定の係数を乗じて３原色映像信号に加算して中間色を補正するように構成するものである。
【００２２】
請求項２に係る発明は、請求項１に係るカラー映像信号の色補正回路において、前記選択手段において３原色補正用成分及び補色補正用成分より、それぞれ１色ずつの補正用成分を選択するための、選択情報を保持している情報保持手段（レジスタ等）を設けるものである。
【００２３】
請求項３に係る発明は、請求項１に係るカラー映像信号の色補正回路において、前記中間色補正用成分形成手段を、前記選択手段で選択された原色補正用成分と補色補正用成分の論理積により中間色補正用成分を形成するように構成するものである。
【００２４】
請求項４に係る発明は、請求項１〜３のいずれか１項に係るカラー映像信号の色補正回路において、前記選択手段で選択された原色補正用成分と補色補正用成分の差の絶対値を算出する絶対値回路と、絶対値回路の出力と中間色判定情報保持手段に予め保持されている判定情報とを比較して中間色か否かを判定する手段とを設けるものである。
【００２５】
請求項５に係る発明は、請求項１〜４のいずれか１項に係るカラー映像信号の色補正回路において、前記中間色判定手段により中間色と判定されたとき、前記中間色補正用成分形成手段からの出力信号をアクティブにすると共に、前記６種の色補正用成分を０とする手段を備え、中間色補正用成分にのみ所定の係数を乗算させるように構成するものである。
【発明の効果】
【００２６】
請求項１に係る発明によれば、原色及び補色以外の中間色の補正を独立して効率的に行うことができる。請求項２に係る発明によれば、３色存在する中間色の選択状態を記憶できるようにすることが可能となる。請求項３に係る発明によれば、中間色補正用信号を容易に形成することができる。請求項４に係る発明によれば、被補正色が中間色であるか否かを容易に判定することができる。請求項５に係る発明によれば、選択された中間色以外の補正用成分から影響を受けずに、単独に中間色の色補正を行うことができる。
【発明を実施するための最良の形態】
【００２７】
次に、発明を実施するための最良の形態について説明する。
【実施例】
【００２８】
まず、実施例１について説明する。図１は本発明に係るカラー映像信号の色補正回路の実施例１を示すブロック構成図である。図１において、ＲIN，ＧIN，ＢINは色補正すべきカラー映像信号を構成する３種のディジタル信号Ｒ，Ｇ，Ｂが入力される入力端子で、ＲOUT ，ＧOUT ，ＢOUT は補正されたＲ，Ｇ，Ｂ信号が取り出される出力端子である。１は入力されたＲ，Ｇ，Ｂ信号から色差信号Ｒ−Ｇ，Ｇ−Ｂ，Ｂ−Ｒを形成するための色差演算部である。２は色差信号から色補正用原色信号Ｒ′，Ｇ′，Ｂ′と、色補正用補色信号Ｙe ′，Ｃy ′，Ｍa ′の６種の信号を生成する６色分離回路である。３は６色分離回路２から出力される６種の補正用信号に対して色情報を付加する色情報付加回路で、図２に示すように、６種の補正用信号Ｒ′，Ｇ′，Ｂ′，Ｙe ′，Ｃy ′，Ｍa ′に対して０００〜１０１の３ビットの色情報を付加するするものである。４は最大値選択回路で、色情報を付加した補正用信号Ｒ″，Ｇ″，Ｂ″，Ｙe ″，Ｃy ″，Ｍa ″の中、最も大きい補正用成分と、これに対応した色情報を選択出力するものである。この最大値選択回路４は、例えば図３に示すように、図４の（Ａ）に示す単位機能ブロックとしての比較ユニット４ａを複数組み合わせて構成されており、比較ユニット４ａは比較部4a-1と選択部4a-2で構成され、図４の（Ｂ）の真理値図表に示すように、比較部4a-1は比較値Ａ，Ｂすなわち補正用成分の大きさを比較して大きい方の補正用成分自体を出力すると共に、Ａ，Ｂの大小結果をＳに出力するようになっており、また選択部4a-2は前記Ａ，Ｂの大小結果に応じた識別コードを出力するようになっている。図３及び図４の（Ａ）から分かるように、上記最大値選択回路４の構成例は、同種の単位機能ブロックの組み合わせで構成されているため、全体としての構成の簡素化が図られ、コストも低減することができる。
【００２９】
５はデコーダで、該デコーダ５には最大値選択回路４から出力される最大の補正成分に対する３ビットの色情報が入力される。６〜11は、それぞれデコーダ５の出力と６色分離回路２からの補正用信号Ｒ′〜Ｍa ′を入力とするマスク用ロジックで、12〜23はマスク用ロジック６〜11の出力とレジスタＡ１〜Ａ12に格納されている係数とを乗算する乗算器で、乗算器12〜23の出力は直接あるいは反転回路24〜27を介して加算回路30へ入力されるようになっている。そして、加算回路30からの出力は加算器31，32，33により、入力Ｒ，Ｇ，Ｂ信号に加算されるようになっている。
【００３０】
次に、このように構成されている実施例の動作について説明する。本実施例で特徴としている部分は、一点鎖線で囲まれた部分の構成で、他の部分は従来例と同様である。本実施例では入力Ｒ，Ｇ，Ｂ信号及び出力Ｒ，Ｇ，Ｂ信号とも、それぞれ８ビット構成のものとして説明する。まず、入力端子ＲIN，ＧIN，ＢINから入力されたＲ，Ｇ，Ｂ信号は色差演算部１及び６色分離回路２を通って、６種の補正用信号Ｒ′〜Ｍa ′を出力する。ここまでの色差演算部１及び６色分離回路２におけるプロセスは、従来例で説明したのと同様である。
【００３１】
次に、上記６種の補正用信号Ｒ′〜Ｍa ′のそれぞれに、色情報付加回路３により色情報を付加する。補正用信号は６種なので、３ビットの情報、すなわち０００〜１０１までの値を、各補正用信号に付加し、その色情報を付加した補正用信号をＲ″〜Ｍa ″とする。このようにして拡張された色情報付加補正用信号は最大値選択回路４へ入力される。最大値選択回路４においては、最も大きい補正用成分とこれに対応した色情報が選択出力される。
【００３２】
そして最大の補正用成分に対する３ビットの色情報は、デコーダ５に入力される。デコーダ５は、色情報に対する出力のみをＬにし、残りはＨにする。例えば、補正用信号Ｒ′の色情報０００が入力されると、デコーダ５の出力“０”の部分のみがＬになる。これにより、マスク用ロジック６〜11により、補正用信号Ｒ′のみに、以降の乗算器12，13による乗算が実行される。補正用信号Ｒ′以外の成分は、マスク用ロジック７〜11に入力されるデコーダ５からの値により、強制的にオール０になる。
【００３３】
すなわち、６色分離回路２によって得られた補正用信号Ｒ′〜Ｍa ′のうち、１色にのみ独立して補正がなされるので、オペレータは補正しようとする成分（補正用信号）のみに留意して、レジスタＡ１〜Ａ12までの係数を決めればよいことになる。なお、レジスタＡ１〜Ａ12の内容を表２に示す。
【００３４】
【表２】
2004297818.tif 000003
【００３５】
次に、実施例２を図５に基づいて説明する。この実施例は、最大値選択回路４により６色分離回路２で分離された補正用信号中、最大の値の補正用信号と、それに関する色情報を出力し、該色情報を用いて彩度係数選択回路41により、レジスタＡ１，Ａ３，Ａ５，Ａ７，Ａ９，Ａ11に格納されている係数を選択し、一方色相係数選択回路42により、レジスタＡ２，Ａ４，Ａ６，Ａ８，Ａ10，Ａ12に格納されている係数を選択し、乗算器43，44により選択された彩度係数あるいは色相係数と最大補正用信号とを乗算するものである。45，46は同じく最大値選択回路４から出力される色情報により制御されるセレクタで、各セレクタ45，46で選択された加算器47〜52を介して、補正用信号が入力Ｒ，Ｇ，Ｂ信号に加算されて補正されるようになっている。
【００３６】
次に、実施例３を図６に基づいて説明する。この実施例は、中間色の補正を行えるようにしたもので、図６において、100 は図１に示した第１実施例における色情報付加回路３から加算回路30までの構成を示している。この実施例において、入力されたＲ，Ｇ，Ｂ信号は、色差演算部１及び６色分離回路２を経て、６種の補正用信号Ｒ′〜Ｍa ′に分離される。分離された補正用信号Ｒ′〜Ｍa ′は、選択Ａ部61に入力され、ここで原色１色と補色１色が選択出力されるようになっている。選択Ａ部61は、図７の（Ａ）に示すような回路構成を備えている。選択Ａ部61において、原色補正用信号Ｒ′，Ｇ′，Ｂ′のいずれを出力するか、あるいは補色補正用信号Ｙe ′，Ｃy ′，Ｍa ′のいずれを出力するかは、情報保持手段としての、例えばレジスタ（Ａ）62に予め収納されているセレクト信号Ｓ３，Ｓ２、あるいは情報保持手段としての、例えばレジスタ（Ｂ）63に収納されているセレクト信号Ｓ１，Ｓ０により、図７の（Ｂ）に示す真理値図表に基づいて決められるようになっている。
【００３７】
次に、中間色用の補正信号を生成するプロセスについて説明する。図８は、赤，肌色，黄色と色相が画面水平方向で連続的に変化する被写体を撮像したときに、入力されたＲ，Ｇ，Ｂ信号成分より得られる色補正用信号の出力波形を示す図である。横軸は画面水平方向を示し、縦軸は水平方向について逐次得られるＲ補正用信号Ｒ′とＹe 補正用信号Ｙe ′のレベルを示している。この場合、肌色領域は図８においてＡからＢまでの部分である。したがって、肌色成分を抽出するには、補正用信号Ｒ′と補正用信号Ｙe ′の論理積を取ればよい。その結果、ＡからＢまでの肌色領域に対応して、斜線で示した部分の肌色用補正信号が得られる。このような動作は図６における選択Ｂ部65において行われ、中間色用補正信号を得ることができる。
【００３８】
また、選択Ａ部61から出力される原色と補色間の差の絶対値が絶対値回路64で算出される。中間色の場合は、取り出された原色及び補色の成分は極端に異ならない。そこで、絶対値回路64で演算された値が、予めレジスタ（Ｂ）63に設定されている値以内であるか否かを、比較回路66で判定される。すなわち、比較回路66は、入力されたＲ，Ｇ，Ｂ信号のベクトル和が中間色の領域に入っているか否かを判定する。
【００３９】
比較回路66の出力は、絶対値回路64の出力が予めレジスタ（Ｂ）63に設定されている値より小さい場合は、中間色領域にあると判断してＬを出力し、ゲート67をアクティブにする。これと同時にゲート68の出力を全て０にして、補正用信号Ｒ′〜Ｍa ′による色補正処理を禁止する。これにより加算器31，32，33による加算は０となり、一方、中間色補正信号は乗算器69〜71でレジスタＡ13〜Ａ15に格納されている係数が乗算され、加算器72〜74を介して入力Ｒ，Ｇ，Ｂ信号に加算され、中間色のみの独立補正が可能となる。
【図面の簡単な説明】
【００４０】
【図１】本発明に係るカラー映像信号の色補正回路の実施例１を示すブロック構成図である。
【図２】図１に示した実施例１の色情報付加回路における色情報付加態様を示す図である。
【図３】図１に示した実施例１の最大値選択回路の構成例を示すブロック構成図である。
【図４】図３に示した最大値選択回路を構成する比較ユニットの構成図と、該比較ユニットの動作を示す真理値図表である。
【図５】本発明の実施例２を示すブロック構成図である。
【図６】本発明の実施例３を示すブロック構成図である。
【図７】図６に示した実施例３における選択Ａ部の構成例を示す図、及びその動作を説明するための真理値図表である。
【図８】画面水平方向において赤から黄色に連続的に変化する画像から得られる色補正信号レベルを示す図である。
【図９】従来のリニアマトリクス方式の色補正回路を示す図である。
【図１０】従来提案されている色補正回路を示す図である。
【図１１】カラーバー信号に対するＲ，Ｇ，Ｂ信号及び色差信号の極性を示す図である。
【図１２】図10に示した従来例における６色分離回路の構成例を示す図である。
【図１３】色補正の態様を示すカラーベクトル図である。
【符号の説明】
【００４１】
１  色差演算部
２  ６色分離回路
３  色情報付加回路
４  最大値選択回路
５  デコーダ
６〜11  マスク用ロジック
12〜23  乗算器
24〜29  反転回路
30  加算回路
31〜33  加算器
41  彩度係数選択回路
42  色相係数選択回路
43，44  乗算器
45，46  セレクタ
47〜52  加算器
61  選択Ａ部
62  レジスタ（Ａ）
63  レジスタ（Ｂ）
64  絶対値回路
65  選択Ｂ部
66  比較回路
67，68  ゲート
69〜71  乗算器
72〜74  加算器
【図１】
2004297818.tif 000004
【図２】
2004297818.tif 000005
【図３】
2004297818.tif 000006
【図４】
2004297818.tif 000007
【図５】
2004297818.tif 000008
【図６】
2004297818.tif 000009
【図７】
2004297818.tif 000010
【図８】
2004297818.tif 000011
【図９】
2004297818.tif 000012
【図１０】
2004297818.tif 000013
【図１１】
2004297818.tif 000014
【図１２】
2004297818.tif 000015
【図１３】
2004297818.tif 000016